(57)【要約】      （修正有）【課題】２波長レーザを用いたＤＰＰ方式のトラッキング精度を向上する。【解決手段】第１波長の第１レーザ光と、第１レーザ光と平行な第２波長の第２レーザ光とを選択的に発光するレーザ光源と、光ディスクのタンジェンシャル方向と光学的に対応する方向に凹凸を繰り返す複数の周期構造体が光ディスクのトラッキング方向と光学的に対応する方向に位相が各々異なるように接合され、第１又は第２レーザ光を回折することにより０次光及び±１次回折光を発生する回折格子と、発生した０次光及び±１次回折光を光ディスクの同一トラック上に集光させる対物レンズと、集光された０次光及び±１次回折光の反射光が対物レンズを介して照射される、差動プッシュプル信号を生成するための光検出器とを備え、第１及び第２レーザ光の発光点を結ぶ直線の方向は、前記トラッキング方向と光学的に対応する方向に対して傾斜してなる光ピックアップ装置。【選択図】図１
2010003369.tif 000002
【特許請求の範囲】
【請求項１】
第１波長の第１レーザ光と、前記第１レーザ光と平行である第２波長の第２レーザ光と、を選択的に発光するレーザ光源と、
光ディスクのタンジェンシャル方向と光学的に対応する方向に凹凸を繰り返す複数の周期構造体が前記光ディスクのトラッキング方向と光学的に対応する方向に位相が各々異なるように接合され、前記第１レーザ光又は前記第２レーザ光を回折することにより０次光及び±１次回折光を発生する回折格子と、
前記回折格子から発生する前記０次光及び前記±１次回折光を前記光ディスクの同一トラック上に集光させる対物レンズと、
前記光ディスクに集光された前記０次光及び前記±１次回折光の反射光が前記対物レンズを介して照射される、差動プッシュプル信号を生成するための光検出器と、を備え、
前記レーザ光源における前記第１レーザ光及び前記第２レーザ光の発光点を結ぶ直線の方向は、前記回折格子における前記光ディスクのトラッキング方向と光学的に対応する方向に対して傾斜する、
ことを特徴とする光ピックアップ装置。
【請求項２】
前記第１レーザ光又は前記第２レーザ光の何れか一方は、前記回折格子における前記光ディスクのトラッキング方向と光学的に対応する方向の略中心に入射される、ことを特徴とする請求項１に記載の光ピックアップ装置。
【請求項３】
前記第１レーザ光又は前記第２レーザ光の何れか一方は、前記回折格子における前記光ディスクのタンジェンシャル方向と光学的に対応する方向の略中心に入射される、ことを特徴とする請求項２に記載の光ピックアップ装置。
【請求項４】
前記第１波長は前記第２波長より短く、
前記第１レーザ光は、前記回折格子における、前記光ディスクのトラッキング方向と光学的に対応する方向の略中心及び前記光ディスクのタンジェンシャル方向と光学的に対応する方向の略中心に入射される、
ことを特徴とする請求項３に記載の光ピックアップ装置。
【発明の詳細な説明】
【技術分野】
【０００１】
本発明は光ピックアップ装置に関する。
【背景技術】
【０００２】
例えばＤＶＤ（Digital Versatile Disc）用の波長を有するレーザ光及びＣＤ（Compact Disc）用の波長を有するレーザ光を選択的に発光可能なレーザ光源を備えた光ピックアップ装置が知られている。このレーザ光源は、これら２つのレーザ光を発光する２つの発光点を、所定間隔を隔てて有している。
【０００３】
この光ピックアップ装置は、２つのレーザ光のそれぞれについて、トラッキングエラー信号を生成するための０次光及び±１次回折光を生成する２種類の回折格子を共に備えている。具体的には、この２種類の回折格子は、異なる構成の格子面が相反するように組み合わせられたり（例えば、特許文献１参照）、或いは対向するように組み合わせられたりしている（例えば、特許文献２参照）。
【０００４】
例えば、ＤＶＤ用の波長を有するレーザ光に対応する回折格子は、トラッキングエラー信号を生成するインライン型の差動プッシュプル方式に適した０次光及び±１次回折光を生成するための構成を有し、ＣＤ用の波長を有するレーザ光に対応する回折格子は、トラッキングエラー信号を生成する３ビーム型の差動プッシュプル方式に適した０次光及び±１次回折光を生成するための構成を有している（以上、例えば、特許文献３参照）。
【０００５】
つまり、これらの２種類の回折格子は、互いに異なる構成をそれぞれ有しているため、前述したように、２つの格子面が相反するように組み合わせられたり、或いは対向するように組み合わせられたりして、１つの回折格子として、ＤＶＤ及びＣＤ両用の光ピックアップ装置に組み込まれている。
【特許文献１】特開２００７−１６４９６２号公報
【特許文献２】特開２００７−１４９２４９号公報
【特許文献３】特開２００４−１４５９１５号公報
【発明の開示】
【発明が解決しようとする課題】
【０００６】
ところで、前述した光ピックアップ装置では、レーザ光源からの例えばＤＶＤ用の波長を有するレーザ光は、前述したＤＶＤ用及びＣＤ用の回折格子の双方に照射されるため、対応しないＣＤ用の回折格子からの影響を受ける。  
例えば、ＤＶＤの再生時等でのトラッキングエラー制御に際し、差動プッシュプル信号を生成するためには、ＤＶＤ用の波長を有するレーザ光をＤＶＤ用の回折格子で回折して±１次回折光（ＤＶＤ用の±１次回折光）を生成する必要がある。これと同時にＤＶＤ用の回折格子からＤＶＤ用の波長を有するレーザ光により０次光が生成されるが、この０次光がＣＤ用の回折格子で回折して生成される±１次回折光（ノイズ）は、前述したＤＶＤ用の±１次回折光と同程度の強度を有してしまう。これは、トラッキングエラー信号の精度の低下につながる。
【課題を解決するための手段】
【０００７】
前記課題を解決するための発明は、第１波長の第１レーザ光と、前記第１レーザ光と平行である第２波長の第２レーザ光と、を選択的に発光するレーザ光源と、光ディスクのタンジェンシャル方向と光学的に対応する方向に凹凸を繰り返す複数の周期構造体が前記光ディスクのトラッキング方向と光学的に対応する方向に位相が各々異なるように接合され、前記第１レーザ光又は前記第２レーザ光を回折することにより０次光及び±１次回折光を発生する回折格子と、前記回折格子から発生する前記０次光及び前記±１次回折光を前記光ディスクの同一トラック上に集光させる対物レンズと、前記光ディスクに集光された前記０次光及び前記±１次回折光の反射光が前記対物レンズを介して照射される、差動プッシュプル信号を生成するための光検出器と、を備え、前記レーザ光源における前記第１レーザ光及び前記第２レーザ光の発光点を結ぶ直線の方向は、前記回折格子における前記光ディスクのトラッキング方向と光学的に対応する方向に対して傾斜する、ことを特徴とする光ピックアップ装置である。
【発明の効果】
【０００８】
トラッキングエラー信号の精度が向上する。
【発明を実施するための最良の形態】
【０００９】
===光ピックアップ装置の構成===
図１乃至図３を参照しつつ、本実施の形態の光ピックアップ装置１の構成例について説明する。図１は、本実施の形態の光ピックアップ装置１の斜視図である。図２は、本実施の形態の回折格子１２の正面図である。図３は、本実施の形態の光検出器２０の構成例を示す模式図である。
【００１０】
図１に例示されるように、本実施の形態の光ピックアップ装置１は、レーザ光源１１と、回折格子１２と、偏光ビームスプリッタ１３と、１／４波長板１４と、コリメータレンズ１５と、反射ミラー１６と、対物レンズ１７と、平行平板１８と、平行平板１９と、光検出器２０と、受光素子３０とを備えている。尚、同図の例示では、ターンテーブル（不図示）に装着された光ディスク１００のディスク面とＸＹ面とは平行であり、以下述べる光路（光軸、往路、復路を含む）もこのＸＹ面と平行である。
【００１１】
本実施の形態のレーザ光源１１は、例えばＤＶＤ用の波長（第１の波長）を有するレーザ光（第１レーザ光）の発光点１１１と、例えばＣＤ用の波長（第２の波長）を有するレーザ光（第２レーザ光）の発光点１１２とを所定間隔を隔てて有する２波長半導体レーザのレーザダイオードである。ここで、ＤＶＤ用の波長はおよそ６３０乃至６８５ｎｍであり、ＣＤ用の波長はおよそ７６５乃至８３９ｎｍである。尚、図１の例示では、２つの発光点１１１、１１２は、例えば略矩形状の外形を有するレーザ光源１におけるＸＺ面に平行な同一面上に位置し、発光点１１１から発光されるＤＶＤ用の波長を有するレーザ光の光軸は以下述べる回折格子１２の格子面の中心を通る。
【００１２】
本実施の形態の回折格子１２は、インライン型の差動プッシュプル方式のみを目的とした０次光及び±１次回折光を生成するための構成を有している。つまり、この回折格子１２においては、例えば、ＸＺ面に平行な透明基板（不図示）の−Ｙ側の面のみに４分割格子が形成されている。尚、以下述べる４分割回折格子は、例えばガラス等の透明基板の表面にエッチング等の処理によって形成されている。
【００１３】
この回折格子１２は、図２に例示されるように、＋Ｙ側の面から入射されるレーザ光の一部に１８０度の位相シフトを発生させるための第１領域１２１及び第４領域１２４を有している。具体的には、略矩形状の第１領域１２１には、Ｚ軸方向に沿って凹部１２ａ及び凸部１２ｂを交互に繰り返す周期構造体が形成されている一方、略矩形状の第４領域１２４には、Ｚ軸方向に沿って第１領域１２１の周期構造体に対し位相が１８０度異なる周期構造体が形成されている。
【００１４】
また、この回折格子１２は、図２に例示されるように、第１領域１２１と第４領域１２４との間に、Ｘ軸方向に幅狭の第２領域１２２及び第３領域１２３を有している。ここで、第２領域１２２の周期構造体は、第１領域１２１の周期構造体に対し位相が６０度異なり、第３領域１２３の周期構造体は、第２領域１２２及び第１領域１２１の周期構造体に対し位相がそれぞれ６０度及び１２０度異なっている。
【００１５】
尚、図２に例示されるように、分割線１２ｃを境界に接合される第１領域１２１及び第２領域１２２と、分割線１２ｅを境界に接合される第３領域１２３及び第４領域１２４とは、第２領域１２２及び第３領域１２３を分割するＺ軸方向の分割線１２ｄに関して線対称となっている。また、後述するように、回折格子１２におけるＸ軸方向は、光ディスク１００のトラッキング方向と光学的に対応し、回折格子１２におけるＺ軸方向は、光ディスク１００における対物レンズ１７と対向する位置でのタンジェンシャル方向と光学的に対応する。
【００１６】
本実施の形態の偏光ビームスプリッタ１３は、往路において回折格子１２からの０次光及び±１次回折光を反射して１／４波長板１４に入射するとともに、復路において光ディスク１００からの反射光を透過させて平行平板１８に入射する。尚、以後、往路とは、レーザ光源１１から光ディスク１００へ向かう光路を意味し、復路とは、光ディスク１００から光検出器２０へ向かう光路を意味する。
【００１７】
本実施の形態の１／４波長板１４は、往路において偏光ビームスプリッタ１３で反射された０次光及び±１次回折光を直線偏光から円偏光に変換するとともに、復路において光ディスク１００からの反射光を円偏光から直線偏光に変換する。
【００１８】
尚、偏光ビームスプリッタ１３と１／４波長板１４との組み合わせにより、往路及び復路において、光の偏光状態は例えば以下のように変換される。先ず往路においては、回折格子１２からのＳ偏光はビームスプリッタ１３によって略全てが反射される。反射されたＳ偏光は１／４波長板１４によって例えば右旋回の円偏光に変換される。次に復路においては、右旋回の円偏光は光ディスク１００の情報記録層（不図示）によって反射されて例えば左旋回の円偏光となる。左旋回の円偏光は１／４波長板１４によってＰ偏光に変換される。このＰ偏光はその略全てが偏光ビームスプリッタ１３を透過する。
【００１９】
本実施の形態のコリメータレンズ１５は、往路において偏光ビームスプリッタ１３で反射された０次光及び±１次回折光を平行光に変換して対物レンズ１７に照射するとともに、復路において光ディスク１００からの反射光を１／４波長板１４に照射する。
【００２０】
本実施の形態の反射ミラー１６は、往路及び復路の双方において、光路を例えば９０度曲げる。  
本実施の形態の対物レンズ１７は、往路において反射ミラー１６で反射された平行光を集光して光ディスクの情報記録層のトラック１０１に極小な集光スポット２００ａ、２００ｂ、２００ｃを形成するとともに、復路において情報記録層からの反射光を反射ミラー１６に照射する。この対物レンズ１７の入射面（−Ｚ側面）には、例えばＤＶＤやＣＤ等の光ディスク１００用の波長を有するレーザ光をそれぞれの光学特性に合わせて回折する回折格子（不図示）が光軸を中心に輪帯状に形成されている。この回折格子によって、光ディスク１００の種類ごとに、対物レンズ１７からの光の球面収差が補正される。
【００２１】
尚、前述したように、回折格子１２は、インライン型の差動プッシュプル方式のみを目的とした０次光及び±１次回折光を生成するための構成を有しているため、図１に例示されるように、０次光の集光スポット２００ａと、±１次回折光の集光スポット２００ｂ、２００ｃとは同一トラック１０１上に形成されている。
【００２２】
本実施の形態の平行平板１８は、偏光ビームスプリッタ１３を透過した光に発生する非点収差を補正する。  
本実施の形態の平行平板１９は、フォーカスエラー成分となる非点収差を与えるとともに、偏光ビームスプリッタ１３及び平行平板１８により発生するコマ収差を補正する。  
尚、平行平板１８、１９は、これらの機能を果たすように、復路に対し所定方向に所定角度だけ傾斜した姿勢をとっている。  
本実施の形態の光検出器２０は、平行平板１９からの光を受光し、これに応じた信号を出力する。この信号に基づいてトラッキングエラー信号やフォーカスエラー信号等が生成される。
【００２３】
本実施の形態の受光素子３０は、レーザ光源１１から発光されたレーザ光のうちの偏光ビームスプリッタ１３を透過した成分を検出して、これに応じた信号を出力する。この信号に基づいて、レーザ光源１１に対するフィードバックをかけるための信号が生成される。
【００２４】
<<<レーザ光源>>>
図１に例示されるように、前述したレーザ光源１１は、発光点１１１から発光されるＤＶＤ用の波長を有するレーザ光の光軸を中心軸として、ＸＹ面に対し角度θ（０度＜θ＜９０度）で回転（即ち傾斜）している。つまり、ＣＤ用の波長を有するレーザ光の発光点１１２は、発光点１１１に対し、Ｘ軸方向に沿って所定間隔（前述した２つの発光点１１１、１１２の間隔）のｃｏｓθ倍だけ離間し、Ｚ軸方向に沿って所定間隔のｓｉｎθ倍だけ離間している。
【００２５】
同様に、回折格子１２の格子面の中心は、ＤＶＤ用の波長を有するレーザ光と交差するように配置されているため、ＣＤ用の波長を有するレーザ光が回折格子１２の格子面に入射される位置は、格子面の中心に対し、Ｘ軸方向に沿って所定間隔のｃｏｓθ倍だけ離間し、Ｚ軸方向に沿って所定間隔のｓｉｎθ倍だけ離間している。
【００２６】
<<<光検出器>>>
図３に例示されるように、本実施の形態の光検出器２０は、その−Ｘ側の検出面上に、ＤＶＤ用受光領域２１と、ＣＤ用受光領域２２とを備えている。これら２つの受光領域２１、２２は、レーザ光源１１の２つの発光点１１１、１１２が離間していることに対応して、光検出器２０の検出面上でもＹ軸方向に離間して配置されている。
【００２７】
ＤＶＤ用受光領域２１は、メイン受光部２１ａと、これを中心としてＺ軸方向の両側に配置されるサブ受光部２１ｂ及びサブ受光部２１ｃとを備えている。メイン受光部２１ａとサブ受光部２１ｂ及びサブ受光部２１ｃとは、光ディスク１００における同一のトラック１０１上に形成された、０次光による略円形状の集光スポット２００ａと±１次回折光による楕円形状の集光スポット２００ｂ及び集光スポット２００ｃとに対応している。各受光部２１ａ、２１ｂ、２１ｃは、略正方形状の外形を有しており、更に４つの略正方形状のセグメントに分割されている。図３の例示では、Ｚ軸方向に沿ったメイン受光部２１ａとサブ受光部２１ｂとの間隔と、同方向に沿ったメイン受光部２１ａとサブ受光部２１ｃとの間隔とは等しい。
【００２８】
ＣＤ用受光領域２２は、メイン受光部２２ａと、これを中心としてＺ軸方向の両側に配置されるサブ受光部２２ｂ及びサブ受光部２２ｃとを備えている。メイン受光部２２ａとサブ受光部２２ｂ及びサブ受光部２２ｃとは、光ディスク１００における同一のトラック１０１上に形成された、０次光による略円形状の集光スポット２００ａと±１次回折光による楕円形状の集光スポット２００ｂ及び集光スポット２００ｃとに対応している。各受光部２２ａ、２２ｂ、２２ｃは、略正方形状の外形を有しており、更に４つの略正方形状のセグメントに分割されている。図３の例示では、Ｚ軸方向に沿ったメイン受光部２２ａとサブ受光部２２ｂとの間隔と、同方向に沿ったメイン受光部２２ａとサブ受光部２２ｃとの間隔とは等しい。
【００２９】
また、図３の例示では、ＤＶＤ用受光領域２１とＣＤ用受光領域２２とは、メイン受光部２１ａの中心点とメイン受光部２２ａの中心点とを結ぶ直線がＹ軸に対し前述したレーザ光源１１の傾斜角θをなすように相互配置されている。また、同図の例示では、メイン受光部２１ａ及びサブ受光部２１ｂ、２１ｃの間隔と、メイン受光部２２ａ及びサブ受光部２２ｂ、２２ｃの間隔との相対比は、例えば、ＤＶＤ用の波長とＣＤ用の波長との相対比に応じて設定されている。一例として、ＣＤ用のメイン受光部２２ａ及びサブ受光部２２ｂ、２２ｃの間隔は、ＤＶＤ用のメイン受光部２１ａ及びサブ受光部２１ｂ、２１ｃの間隔よりも広く設定されている。
【００３０】
このような配置によって、ＣＤ用の波長を有するレーザ光をＤＶＤ用の回折格子１２で回折して０次光及び±１次回折光を得た場合でも、これらの光の光ディスク１００による反射光をＣＤ用受光領域２２で効率的に受光することができる。
【００３１】
以上の構成を備えたＤＶＤ用受光領域２１の受光部２１ａ、２１ｂ、２１ｃごとに、４つのセグメントが受光して出力する４つの信号に所定の演算を施すことにより、プッシュプル信号Ｓａ１、Ｓｂ１、Ｓｃ１が得られる。また、同様に、ＣＤ用受光領域２２の受光部２２ａ、２２ｂ、２２ｃごとに、４つのセグメントが受光して出力する４つの信号に所定の演算を施すことにより、プッシュプル信号Ｓａ２、Ｓｂ２、Ｓｃ２が得られる。尚、図３では、図示の便宜上、各セグメントからの信号に対する所定の演算の仕方は省略されている。
【００３２】
プッシュプル信号Ｓａ１及びプッシュプル信号Ｓｂ１は相互に逆位相であり、プッシュプル信号Ｓａ１及びプッシュプル信号Ｓｃ１も相互に逆位相である。また、同様に、プッシュプル信号Ｓａ２及びプッシュプル信号Ｓｂ２は相互に逆位相であり、プッシュプル信号Ｓａ２及びプッシュプル信号Ｓｃ２も相互に逆位相である。
【００３３】
そこで、ＤＶＤ又はＣＤの再生等において、２つのサブ受光部からのプッシュプル信号どうしを加算器２３で加算処理して得た信号（（Ｓｂ１＋Ｓｃ１）又は（Ｓｂ２＋Ｓｃ２））と、メイン受光部からのプッシュプル信号（Ｓａ１又はＳａ２）とを減算器２４で減算処理して差動プッシュプル信号を得ることにより、オフセット成分が相殺されたトラッキングエラー信号を生成できる。
【００３４】
===光ピックアップ装置の動作===
図４及び図５を参照しつつ、前述した構成を備えた光ピックアップ装置１の動作例について説明する。図４は、回折格子１２から対物レンズ１７までの光路の一例を示す斜視図である。尚、同図では、偏光ビームスプリッタ１３と反射ミラー１６との間にあるべき１／４波長板１４及びコリメータレンズ１５は図示の便宜上省略されている。図５は、対物レンズ１７に入射される光の強度中心点の位置と、差動プッシュプル信号（Ｄｐｐ）の振幅の当該レンズ移動特性との関係の一例を示す模式図である。
【００３５】
<<<角度θだけ傾斜しているレーザ光源>>>
図４に例示されるように、ＤＶＤ用の波長を有するレーザ光の強度中心点Ｐ１は、回折格子１２の格子面におけるＸ軸方向に沿った中心に位置する。つまり、ＤＶＤに対応する強度中心点Ｐ１は、分割線１２ｄ上に位置する。
【００３６】
また、前述したように、図４において回折格子１２の背面に配置されているレーザ光源１１は、ＤＶＤ用の波長を有するレーザ光の光軸を中心として、ＣＤ用の波長を有するレーザ光の光軸が−Ｚ側に角度θだけ回転（即ち傾斜）している。このため、ＣＤに対応する強度中心点Ｑ１は、強度中心点Ｐ１に対し、−Ｘ側及び−Ｚ側にずれて位置している。
【００３７】
ＤＶＤ用の波長を有するレーザ光は、回折格子１２の分割線１２ｄ上の強度中心点Ｐ１から、偏光ビームスプリッタ１３上に形成される強度中心点Ｐ２、及び、反射ミラー１６上に形成される強度中心点Ｐ３を経由して、対物レンズ１７の入射面（−Ｚ側面）の中心位置に至ってここに強度中心Ｐ４を形成する。
【００３８】
また、同様に、ＣＤ用の波長を有するレーザ光は、回折格子１２の分割線１２ｄから−Ｘ側及び−Ｚ側に離間した強度中心点Ｑ１から、偏光ビームスプリッタ１３上に形成される強度中心点Ｑ２、及び、反射ミラー１６上に形成される強度中心点Ｑ３を経由して、対物レンズ１７の入射面（−Ｚ側面）の中心位置からトラッキング方向及びタンジェンシャル方向に離間した位置に至ってここに強度中心Ｑ４を形成する。
【００３９】
尚、図４からわかるように、トラッキング制御の際に対物レンズ１７が移動するトラッキング方向は、分割タイプの回折格子１２の格子面上で分割線１２ｃ、１２ｄ、１２ｅと垂直な方向（Ｘ軸方向）と光学的に対応するものである。また、これら分割線１２ｃ、１２ｄ、１２ｅの方向（Ｚ軸方向）は、光ディスク１００における対物レンズ１７と対向する位置でのタンジェンシャル方向と光学的に対応するものである。
【００４０】
<<<傾斜していないレーザ光源>>>
図４に例示されるように、もし仮にレーザ光源１１が前述したように傾斜していない場合、ＣＤに対応する強度中心点Ｒ１は、Ｐ１及びＲ１の間隔が２つの発光点１１１、１１２の所定間隔と略等しく且つＰ１及びＲ１を結ぶ直線がＸ軸方向と平行となるように格子面上に位置する。
【００４１】
ＣＤ用の波長を有するレーザ光は、回折格子１２の分割線１２ｄから−Ｘ側に離間した強度中心点Ｒ１から、偏光ビームスプリッタ１３上に形成される強度中心点Ｒ２、及び、反射ミラー１６上に形成される強度中心点Ｒ３を経由して、対物レンズ１７の入射面（−Ｚ側面）の中心位置からトラッキング方向に離間した位置に至ってここに強度中心Ｒ４を形成する。
【００４２】
<<<傾斜している場合と傾斜していない場合との比較>>>
回折格子１２の格子面における前述した３つの強度中心Ｐ１、Ｑ１、Ｒ１は以下の位置関係にある。即ち、レーザ光源１１が傾斜している場合（本実施の形態）のＣＤに対応する強度中心Ｑ１は、仮に傾斜していない場合のＣＤに対応する強度中心Ｒ１を、ＤＶＤに対応する強度中心Ｐ１を中心として図４の反時計方向に角度θだけ回転（即ち傾斜）したものである。
【００４３】
これにより、回折格子１２の格子面において、Ｘ軸方向（トラッキング方向に対応）に沿って、ＤＶＤに対応する強度中心点Ｐ１に対し、ＣＤに対応する強度中心点Ｑ１は、ＣＤに対応する強度中心点Ｒ１よりも、２つの発光点１１１、１１２の所定間隔の（１−ｃｏｓθ）倍の距離だけ近い。
【００４４】
また、これに伴って、対物レンズ１７の入射面（−Ｚ側面）において、トラッキング方向に沿って、ＤＶＤに対応する強度中心点Ｐ４（対物レンズ１７の中心）に対し、ＣＤに対応する強度中心点Ｑ４は、ＣＤに対応する強度中心点Ｒ４よりも、２つの発光点１１１、１１２の所定間隔に応じた距離だけ近い。
【００４５】
図５に例示されるように、ＤＶＤの再生時等における対物レンズ１７のトラッキング方向の移動量に対するＤｐｐ信号の振幅の劣化の度合いを示す視野特性曲線ＣＰは、例えば、移動量がゼロの場合にＤｐｐ信号の振幅を極大値とし、これを中心として移動量±側に略対称に徐々に低下する傾向を有している。尚、これは、対物レンズ１７の移動量がゼロの場合に集光スポット２００ａ、２００ｂ、２００ｃが光ディスク１００の同一トラック１０１における最も好適な位置に形成されることを前提としている。
【００４６】
本実施の形態の光ピックアップ装置１によれば、回折格子１２の格子面において、トラッキング方向と光学的に対応する方向に沿って、強度中心点Ｑ１は、強度中心点Ｒ１よりも、前述した所定間隔の（１−ｃｏｓθ）倍の距離だけ分割線１２ｄに近い。ここで、回折格子１２におけるトラッキング方向と光学的に対応する方向に沿った中心位置にレーザ光の強度中心点が近いほど、生成される±１次回折光の位相の対称性も高くなるため、Ｄｐｐ信号に係る視野特性も向上する。このため、強度中心点Ｑ１に対応する視野特性曲線ＣＱの極大値は、強度中心点Ｒ１に対応する視野特性曲線ＣＲの極大値よりも大きくなる。
【００４７】
尚、ＣＱは、レーザ光源１１が傾斜している場合（本実施の形態）のＣＤの再生時等における対物レンズ１７のトラッキング方向の移動量に対するＤｐｐ信号の振幅の劣化の度合いを示す視野特性曲線であり、ＣＲは、もし仮にレーザ光源１１が傾斜していない場合のＣＤの再生時等における対物レンズ１７のトラッキング方向の移動量に対するＤｐｐ信号の振幅の劣化の度合いを示す視野特性曲線である。
【００４８】
また、本実施の形態の光ピックアップ装置１によれば、対物レンズ１７の入射面（−Ｚ側面）において、トラッキング方向に沿って、強度中心点Ｑ４は、強度中心点Ｒ４よりも、前述した所定間隔に応じた距離だけ対物レンズ１７の中心に近い。よって、対物レンズ１７の同一の移動量に対するＤｐｐ信号の振幅を比較すると、ＣＲのＤｐｐの振幅＜ＣＱのＤｐｐの振幅＜ＣＰのＤｐｐの振幅という関係になる。図５に例示されるように、或る移動量において、もし仮にレーザ光源１１が傾斜していない場合には、視野特性曲線ＣＰとＣＲとの振幅の差がＤ２であるのに対し、レーザ光源１１が傾斜している場合（本実施の形態）には、視野特性曲線ＣＰとＣＱとの振幅の差は、Ｄ２よりも小さいＤ１である。
【００４９】
更に、本実施の形態の光ピックアップ装置１によれば、２つの発光点１１１、１１２のうちのＤＶＤに係る光軸を回折格子１２におけるＸ軸方向（光ディスク１００のトラッキング方向と光学的に対応する方向）の中心に合わせてあるため、ＤＶＤにおけるＤｐｐ信号に係る視野特性を最良の状態に維持しつつ、傾斜角度θを調節してＣＤにおけるＤｐｐ信号に係る視野特性を向上させることができる。
【００５０】
以上から、本実施の形態の光ピックアップ装置１によれば、例えばＤＶＤ用の波長を有するレーザ光の光路を回折格子１２の中心及び対物レンズ１７の中心に合わせた場合でも、例えばＣＤ用の波長を有するレーザ光を使用してＣＤの再生等を行なう際の視野特性の劣化の度合いを抑制することができ、よってＤＶＤ及びＣＤの双方についてトラッキングエラー信号の精度が向上する。
【００５１】
<<<トラッキングエラー信号の精度の向上>>>
本実施の形態の光ピックアップ装置１は、少なくとも、例えばＤＶＤ用の波長を有するレーザ光と、このレーザ光と平行である例えばＣＤ用の波長を有するレーザ光とを選択的に発光するレーザ光源１１と、光ディスク１００のタンジェンシャル方向と光学的に対応する方向に凹凸を繰り返す複数の周期構造体が同光ディスク１００のトラッキング方向と光学的に対応する方向に位相が各々異なるように接合され、レーザ光を回折することにより０次光及び±１次回折光を発生する回折格子１２と、回折格子１２から発生する０次光及び±１次回折光を光ディスク１００の同一トラック１０１上に集光させる対物レンズ１７と、光ディスク１００に集光された０次光及び±１次回折光の反射光が対物レンズ１７を介して照射される、差動プッシュプル信号を生成するための光検出器２０とを備え、レーザ光源１１における２つのレーザ光の発光点１１１、１１２を結ぶ直線の方向が、回折格子１２における前記トラッキング方向と光学的に対応する方向に対して傾斜していればよい。
【００５２】
この光ピックアップ装置１によれば、光ディスク１００のトラッキング方向と光学的に対応する方向（Ｘ軸方向）に沿った２つのレーザ光の回折格子１２における２つの強度中心間の距離は、レーザ光源１１が傾斜している場合の方が傾斜していない場合に比べて短くなる。また同様に、トラッキング方向に沿った２つのレーザ光の対物レンズ１７における２つの強度中心間の距離は、レーザ光源１１が傾斜している場合の方が傾斜していない場合に比べて短くなる。ところで、回折格子１２の格子面の中心位置に対しレーザ光の強度中心点がＸ軸方向に沿って近いほど、生成される±１次回折光の位相の対称性も高くなるため、Ｄｐｐ信号に係る視野特性が向上する。また同様に、対物レンズ１７の中心位置に対しレーザ光の強度中心点がトラッキング方向に沿って近いほど、Ｄｐｐ信号に係る視野特性が向上する。よって、回折格子１２及び対物レンズ１７の中心位置をそれぞれ挟んで２つの強度中心が位置するようにレーザ光源１１を所定角度で傾斜させつつ配置することによって、２つのレーザ光の双方について、Ｄｐｐ信号に係る視野特性を、レーザ光源１１が傾斜していない場合に比べて向上させることができる。従って、２つのレーザ光の双方についてトラッキングエラー信号の精度が向上する。
【００５３】
また、かかる光ピックアップ装置１において、２つのレーザ光の何れか一方は、回折格子１２における光ディスク１００のトラッキング方向と光学的に対応する方向（Ｘ軸方向）の中心に入射されることが好ましい。  
この光ピックアップ装置１によれば、２つの発光点１１１、１１２のうちの一方に係る光軸が回折格子１２におけるＸ軸方向の中心に合わせてあるため、当該一方におけるＤｐｐ信号に係る視野特性を最良の状態に維持しつつ、傾斜角度θを調節して他方におけるＤｐｐ信号に係る視野特性を向上させることができる。
【００５４】
また、かかる光ピックアップ装置１において、前記一方のレーザ光は更に回折格子１２における光ディスク１００のタンジェンシャル方向と光学的に対応する方向（Ｚ軸方向）の中心に入射されることが好ましい。  
この光ピックアップ装置１によれば、前記一方に係る光軸が更に回折格子１２におけるＺ軸方向の中心に合わせてあるため、前記一方のレーザ光の回折格子１２に対するスポットを格子面内に収めることができる。
【００５５】
また、かかる光ピックアップ装置１において、発光点１１１から発光されるレーザ光は、発光点２から発光されるレーザ光よりも波長が短く、回折格子１２における、光ディスク１００のトラッキング方向と光学的に対応する方向（Ｘ軸方向）の中心及び光ディスク１００のタンジェンシャル方向と光学的に対応する方向（Ｚ軸方向）の中心に入射されることが好ましい。  
レーザ光の波長がより短いほど、これを使用する光ディスク１００の記録密度をより高くできる。このようなレーザ光の光軸を回折格子１２の格子面の中心に合わせることにより、記録密度のより高い光ディスク１００に対しＤｐｐ信号に係る視野特性を最良の状態に維持できる。
【００５６】
===その他の実施の形態===
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【００５７】
前述した実施の形態では、２種類のレーザ光をＤＶＤ用の波長を有するレーザ光及びＣＤ用の波長を有するレーザ光としたが、これに限定されるものではなく、波長が異なり且つ光軸どうしが平行な２つのレーザ光であれば如何なるものであってもよい。
【００５８】
また、前述した実施の形態では、ＤＶＤ用の波長を有するレーザ光の光路を回折格子１２の中心及び対物レンズ１７の中心に合わせたが、これに限定されるものではなく、例えば、ＣＤ用の波長を有するレーザ光の光路を回折格子１２の中心及び対物レンズ１７の中心に合わせるものであってもよい。
【００５９】
また、前述した実施の形態では、レーザ光源１１は、発光点１１１を中心として、ＸＹ面に対し−Ｚ側に角度θ（０度＜θ＜９０度）だけ傾斜していたが、これに限定されるものではない。例えば、＋Ｚ側に角度θの傾斜であってもよい。尚、視野特性の向上を図った上で、ＤＶＤ用受光領域２１及びＣＤ用受光領域２２を光ディスクからの反射光を効率的に受光するための適正間隔をもって配置し、且つ、光ディスクの信号トラック上において信号読み取り性能を向上させるための光スポット形状（レーザダイオードのレーザ光のファーフィールドに起因する）を得るためには、角度θは、およそ３０度乃至６０度が好適である。
【００６０】
また、前述した実施の形態では、回折格子１２は４分割タイプであったが、これに限定されるものではない。回折格子１２の分割数は、２以上の如何なる整数であってもよい。要するに、回折格子１２は、インライン型の差動プッシュプル方式に適した０次光及び±１次回折光を生成するための構成を有していればよい。尚、奇数分割タイプの回折格子１２の場合、Ｘ軸方向（光ディスク１００のトラッキング方向と光学的に対応する方向）に沿った格子面の中心には、前述した分割線１２ｄのような実体上の線は存在しない。この場合、格子面の中央部に位置する同一位相の周期構造体におけるＸ軸方向の中心位置に、発光点１１１から発光されるレーザ光の光軸を合わせればよい。
【００６１】
また、前述した実施の形態では、回折格子１２の格子面は、ＸＺ面に平行な透明基板（不図示）の−Ｙ側の面のみに形成されていたが、これに限定されるものではなく、例えば、＋Ｙ側の面のみに形成されるものであってもよい。
【００６２】
また、前述した実施の形態では、往路に沿って１／４波長板１４とコリメータレンズ１５とがこの順に配置されているが、これに限定されるものではなく、例えば逆順で配置されていてもよい。
【図面の簡単な説明】
【００６３】
【図１】本実施の形態の光ピックアップ装置の斜視図である。
【図２】本実施の形態の回折格子の正面図である。
【図３】本実施の形態の光検出器の構成例を示す模式図である。
【図４】回折格子から対物レンズまでの光路の一例を示す斜視図である。
【図５】対物レンズに入射される光の強度中心点の位置と差動プッシュプル信号（Ｄｐｐ）の振幅の当該レンズ移動特性との関係の一例を示す模式図である。
【符号の説明】
【００６４】
１  光ピックアップ装置              １１  レーザ光源
１２  回折格子                      １２ａ  凹部
１２ｂ  凸部                        １２ｃ、１２ｄ、１２ｅ  分割線
１３  偏光ビームスプリッタ          １４  １／４波長板
１５  コリメータレンズ              １６  反射ミラー
１７  対物レンズ                    １８、１９  平行平板
２０  光検出器                      ２１  ＤＶＤ用受光領域
２１ａ、２２ａ  メイン受光部        ２１ｂ、２２ｂ、２１ｃ、２２ｃ  サブ受光部
２２  ＣＤ用受光領域                ２３  加算器
２４  減算器                        ３０  受光素子
１００  光ディスク                  １０１  トラック
１１１、１１２  発光点              １２１  第１領域
１２２  第２領域                    １２３  第３領域
１２４  第４領域                    ２００ａ  メインスポット
２００ｂ、２００ｃ  サブスポット
【図２】
2010003369.tif 000003
【図３】
2010003369.tif 000004
【図４】
2010003369.tif 000005
【図５】
2010003369.tif 000006
【図１】
2010003369.tif 000007